(57)【要約】【課題】表示内容の変更を分かり易くする。【解決手段】実施形態の情報表示装置は、商品に対応付けて設置され、前記商品に関する商品情報を表示する装置である。また、情報表示装置は、表示手段と、表示制御手段と、を有する。表示手段は、前記商品情報に含まれる各種情報をそれぞれ割当てられた表示領域で表示する。表示制御手段は、前記表示手段で表示される商品情報のうち所定の前記表示領域に表示される所定情報を変更表示する場合、変更前の所定情報の表示形式と異なる表示形式で、変更後の所定情報を表示する表示制御を行う。【選択図】図５
2012053811.tif 000002
【特許請求の範囲】
【請求項１】
商品に対応付けて設置され、前記商品に関する商品情報を表示する情報表示装置であって、
前記商品情報に含まれる各種情報をそれぞれ割当てられた表示領域で表示する表示手段と、
前記表示手段で表示される商品情報のうち所定の前記表示領域に表示される所定情報を変更表示する場合、変更前の所定情報の表示形式と異なる表示形式で、変更後の所定情報を表示する表示制御を行う表示制御手段と、
を有する、情報表示装置。
【請求項２】
前記表示制御手段は、所定時間が経過する毎に前記所定の表示領域に表示されている所定情報を変更表示する場合、前記表示制御を行う、請求項１に記載の情報表示装置。
【請求項３】
前記所定の表示領域は、前記商品の値引きに係る値引き情報を表示する値引き情報表示領域である、請求項１または２に記載の情報表示装置。
【請求項４】
前記表示制御手段は、所定時間が経過する毎に、前記値引き情報表示領域に表示される値引き情報を変更表示する場合、前記値引き情報表示領域内において、変更前の値引き情報の表示位置と異なる表示位置で、変更後の値引き情報を表示する表示制御を行う、請求項３に記載の情報表示装置。
【請求項５】
前記値引き情報は、前記商品の、期限日を示す情報および値引き額を示す情報を含む、請求項３または４に記載の情報表示装置。
【請求項６】
商品に対応付けて設置され、前記商品に関する商品情報を表示する表示手段を備える情報表示装置に実装されるコンピュータを、
前記表示手段で、前記商品情報に含まれる各種情報をそれぞれ割当てられた表示領域で表示するとともに、前記表示手段で表示される商品情報のうち所定の前記表示領域に表示される所定情報を変更表示する場合、変更前の所定情報の表示形式と異なる表示形式で、変更後の所定情報を表示する表示制御を行う表示制御手段と、
して機能させるプログラム。
【発明の詳細な説明】
【技術分野】
【０００１】
本発明の実施形態は、情報表示装置およびプログラムに関する。
【背景技術】
【０００２】
従来、情報を表示する情報表示装置として、例えば、商品を販売する店舗に設置され、対応付けられた商品に関する商品情報を表示する電子棚札端末が知られている。
【発明の概要】
【発明が解決しようとする課題】
【０００３】
しかしながら、従来の電子棚札端末にあっては、表示内容の変更が分かり難いという課題がある。
【課題を解決するための手段】
【０００４】
実施形態の情報表示装置は、商品に対応付けて設置され、前記商品に関する商品情報を表示する装置である。また、情報表示装置は、表示手段と、表示制御手段と、を有する。表示手段は、前記商品情報に含まれる各種情報をそれぞれ割当てられた表示領域で表示する。表示制御手段は、前記表示手段で表示される商品情報のうち所定の前記表示領域に表示される所定情報を変更表示する場合、変更前の所定情報の表示形式と異なる表示形式で、変更後の所定情報を表示する表示制御を行う。
【図面の簡単な説明】
【０００５】
【図１】図１は、電子棚札端末を備える電子棚札システムの概略構成を示すブロック図である。
【図２】図２は、電子棚札端末の設置状態を示す斜視図である。
【図３】図３は、電子棚札端末の外観構成を示す斜視図である。
【図４】図４は、電子棚札端末の表示部で表示される表示画面の一構成例を示す図である。
【図５】図５は、電子棚札端末の表示部で表示される表示画面の一構成例を示す図である。
【図６】図６は、電子棚札端末の本体ハウジング内に内臓されるハードウェア構成を示すブロック図である。
【図７】図７は、ストアサーバおよび電子棚札管理サーバのハードウェア構成を示すブロック図である。
【図８】図８は、電子棚札端末における機能的構成を示すブロック図である。
【図９】図９は、電子棚札管理サーバにおける機能的構成を示すブロック図である。
【図１０】図１０は、棚札情報管理テーブルの一構成例を示す図である。
【図１１】図１１は、電子棚札管理サーバの処理の流れを示すフローチャートである。
【図１２】図１２は、電子棚札端末の処理の流れを示すフローチャートである。
【図１３】図１３は、図１２のステップの詳細を示すフローチャートである。
【発明を実施するための形態】
【０００６】
以下、実施形態について添付図面を参照して説明する。
【０００７】
なお、以下では、本実施形態の情報表示装置として、スーパーマーケットなどの商品を販売する店舗に設置され、対応付けられた商品に関する商品情報を表示する電子棚札端末の場合について説明する。
【０００８】
図１は、本実施形態の電子棚札端末を備える電子棚札システム１の概略構成を説明するためのブロック図である。
【０００９】
図１に示すように、この電子棚札システム１では、ストアサーバ２、電子棚札管理サーバ３および無線ＬＡＮアクセスポイント４が、ＬＡＮ（Ｌｏｃａｌ  Ａｒｅａ  Ｎｅｔｗｏｒｋ）などのネットワーク５を介して相互に通信可能に接続されている。また、この電子棚札システム１では、ストアサーバ２または電子棚札管理サーバ３と、電子棚札端末６およびハンディターミナル７が、無線ＬＡＮアクセスポイント４や無線中継器８を介して相互に通信可能に接続されている。
【００１０】
ストアサーバ２は、店舗のバックヤードなどに設置され、電子棚札管理サーバ３、電子棚札端末６、ＰＯＳ（Ｐｏｉｎｔ  Ｏｆ  Ｓａｌｅｓ  Ｓｙｓｔｅｍ）端末（不図示）などの上位装置として機能するサーバ装置であり、ＰＯＳ端末（不図示）との間で客の購入する商品の登録および決済処理を行ったり、電子棚札管理サーバ３を介して電子棚札端末６の表示内容の変更を指示したりする。
【００１１】
電子棚札管理サーバ３は、バックヤードなどに設置され、複数の電子棚札端末６の上位装置としてのサーバ装置であり、ストアサーバ２から受信した商品情報に基づいて表示データを生成し、該生成した表示データを該当する電子棚札端末６に送信するなどにより、各電子棚札端末６の表示を管理する。
【００１２】
無線ＬＡＮアクセスポイント４は、バックヤードや売り場などに設置され、無線中継器８を介して、ストアサーバ２または電子棚札管理サーバ３と、各電子棚札端末６とを通信可能に接続するとともに、ストアサーバ２または電子棚札管理サーバ３と、ハンディターミナル７とを通信可能に接続するための装置である。なお、本実施形態の無線ＬＡＮアクセスポイント４は、ストアサーバ２および電子棚札管理サーバ３とは有線ＬＡＮによる通信を行い、一方、ハンディターミナル７および無線中継器８とは無線ＬＡＮによる通信を行う。
【００１３】
各電子棚札端末６は、売り場の商品陳列棚ＳＨ（図２参照）などに設置され、それぞれ対応付けられた商品に関する商品情報（商品名を示す情報、価格（標準価格）を示す情報、値引き情報、成分を示す情報など）を表示する情報表示装置である。
【００１４】
なお、ここでいう「値引き情報」とは、賞味期限または消費期限などの所定期限に近づき、通常の販売価格（標準価格）より安く販売する「見切り商品」の値引きに係る情報のことである。
【００１５】
図２は、電子棚札端末６の設置状態を説明するための斜視図である。
【００１６】
図２に示すように、電子棚札端末６は、商品陳列棚ＳＨなどに設置される。そして、電子棚札端末６は、当該電子棚札端末６が設置されている付近に陳列されている商品Ｇ、即ち、対応付けられた商品Ｇに関する商品情報を表示部６１に表示する。
【００１７】
なお、図２の例では、電子棚札端末（Ａ）６が、「牛ロースしゃぶしゃぶ用」という商品名の商品（牛ロース）Ｇに対応付けて設置されている場合を示している。即ち、この場合には、電子棚札端末（Ａ）６は、「牛ロースしゃぶしゃぶ用」という商品Ｇに関する商品情報を表示する。
【００１８】
図１に戻って、ハンディターミナル７は、店舗の店員などにより操作される携帯型の情報処理端末であり、バックヤードでの商品の検品データの入力に使用されるとともに、電子棚札端末６の端末コード部６２（図３参照）で表される端末コード（棚札ＩＤ）と、商品Ｇに付されたバーコード（ＧＳ１データバー）の商品コードを読み取るのに使用される。なお、ハンディターミナル７で読み取られた端末コード（棚札ＩＤ）および商品コードは、無線ＬＡＮアクセスポイント４を介して電子棚札管理サーバ３に送信される。
【００１９】
無線中継器８は、売り場の天井などに設置され、無線ＬＡＮアクセスポイント４を介して、ストアサーバ２または電子棚札管理サーバ３と、各電子棚札端末６とを通信可能に接続するための装置である。なお、本実施形態の無線中継器８は、無線ＬＡＮアクセスポイント４とは無線ＬＡＮによる通信を行い、一方、各電子棚札端末６とは無線ＰＡＮ（Ｐｅｒｓｏｎａｌ  Ａｒｅａ  Ｎｅｔｗｏｒｋ）による通信を行う。
【００２０】
図３は、電子棚札端末６の外観構成を説明するための斜視図である。
【００２１】
図３に示すように、電子棚札端末６は、外観構成として、薄板状（ラベル状）の本体ハウジング６０を備え、本体ハウジング６０の正面側に、対応付けられた商品Ｇに関する商品情報を表示する表示画面（図４および図５参照）を表示する表示部（表示手段）６１と、当該電子棚札端末６に設定された固有の端末コード（棚札ＩＤ）を表す端末コード部６２を備えているとともに、本体ハウジング６０の背面側に、当該電子棚札端末６を商品陳列棚ＳＨに取り付けるためのフックや磁石などの取付部材（不図示）を備えている。
【００２２】
図４および図５は、本実施形態の電子棚札端末６の表示部６１で表示される表示画面の一構成例を説明するための図である。
【００２３】
図４は、商品陳列棚ＳＨに見切り商品Ｇと標準価格で販売する通常の商品Ｇとが混在して陳列されている場合に表示部６１で表示される表示画面の一構成例を示す図である。
【００２４】
なお、図４（ａ）の例では、賞味期限が販売当日「１８日」である見切り商品Ｇに関する商品情報を表示する表示画面６１Ａを示しており、図４（ｂ）の例では、賞味期限が販売当日「１８日」より１日先の「１９日」である見切り商品Ｇに関する商品情報を表示する表示画面６１Ｂを示している。
【００２５】
表示画面６１Ａおよび表示画面６１Ｂは、電子棚札端末６に対応付けられた商品Ｇの商品名を示す情報を表示する商品名表示領域６１１ａ、６１１ｂと、商品Ｇの標準価格を示す情報を表示する標準価格表示領域６１２ａ、６１２ｂと、商品(見切り商品)Ｇの値引き情報を表示する値引き情報表示領域６１３ａ、６１３ｂと、標準価格表示領域６１２ａ、６１２ｂと値引き情報表示領域６１３ａ、６１３ｂとを区分けする区分け線６１４ａ、６１４ｂなどを有している。
【００２６】
なお、見切り商品Ｇの値引き情報には、値引き商品Ｇの賞味期限日、消費期限日、有効期限日などの期限日情報や、加工日、包装年月日などの生成日情報などの年月日情報と、値引き商品Ｇの値引き額を示す値引き額情報とが含まれている。
【００２７】
図４の例では、表示画面６１Ａおよび表示画面６１Ｂは、商品名を示す情報として「牛ロースしゃぶしゃぶ用  １００ｇあたり」を表示し、標準価格を示す情報として「標準価格  １、１８０円」を表示している。
【００２８】
また、表示画面６１Ａの値引き情報としては、「賞味期限１８日の品  ２０％引き」を示しており、一方、表示画面６１Ｂの値引き情報としては、「賞味期限１９日の品  １０％引き」を示している。
【００２９】
ところで、本実施形態の電子棚札端末６では、当該電子棚札端末６に対応付けられた商品Ｇとして、標準価格で販売する商品Ｇと見切り商品Ｇとが混在して陳列されており、更に、見切り商品Ｇとして、賞味期限が異なる見切り商品Ｇが複数陳列されている場合には、表示部６１で表示される商品情報のうち値引き情報表示領域６１３ａ、６１３ｂに表示される値引き情報のみを変更表示する表示制御を行う。
【００３０】
ところが、値引き情報表示領域６１３ａ、６１３ｂの値引き情報のみを変更する場合には、その値引き情報に含まれる賞味期限の数字や値引き額の数字のみが変更されることになるので、客は、それら数字が変更表示されたことに気づかない虞がある。
【００３１】
そこで、本実施形態の電子棚札端末６では、値引き情報表示領域６１３ａ、６１３ｂの値引き情報（特に、その数字部分）が変更されたことを客に気付かせるべく、所定時間（例えば、「２秒」など）が経過する毎に、値引き情報表示領域６１３ａ、６１３ｂに表示される値引き情報を変更表示する場合、値引き情報表示領域６１３ａ、６１３ｂ内において、変更前の値引き情報の表示位置と異なる表示位置で、変更後の値引き情報を表示する表示制御を行う。
【００３２】
即ち、本実施形態の電子棚札端末６が表示する表示画面６１Ａの値引き情報表示領域６１３ａにおける値引き情報と、同じく本実施形態の電子棚札端末６が表示する表示画面６１Ｂの値引き情報表示領域６１３ｂにおける値引き情報とでは、賞味期限を示す情報および値引き額を示す情報の表示位置が異なっている。
【００３３】
より具体的には、区分け線６１４ａから値引き情報の賞味期限を示す情報の先頭の文字「賞」までの距離Ｗ１が、区分け線６１４ｂから値引き情報の賞味期限を示す情報の先頭の文字「賞」までの距離Ｗ２より短くなっており、また、区分け線６１４ａから値引き情報の値引き額情報の先頭の文字「２」までの距離Ｗ３が、区分け線６１４ｂから値引き情報の値引き額情報の先頭の文字「１」までの距離Ｗ４より短くなっている。
【００３４】
即ち、本実施形態の電子棚札端末６では、値引き情報表示領域６１３ａにおける値引き情報の表示位置の変更方法として、区分け線６１４ａ、６１４ｂに対して値引き情報（賞味期限を示す情報および値引き額を示す情報）を近づけたり、遠ざけたりする変更方法、言い換えると、表示画面６１Ａ、６１Ｂの横方向で値引き情報の表示位置をずらす変更方法を採用している。
【００３５】
図５は、商品陳列棚ＳＨに見切り商品Ｇが存在せず、標準価格で販売する通常の商品Ｇのみが陳列されている場合に表示部６１に表示される表示画面の一構成例を示す図である。
【００３６】
なお、図５の例では、賞味期限が販売当日「１８日」より２日先の「２０日」であり、標準価格で販売する通常の商品Ｇに関する商品情報を表示する表示画面６１Ｃを示している。
【００３７】
表示画面６１Ｃは、表示画面６１Ａおよび表示画面６１Ｂにおける値引き情報表示領域６１３ａ、６１３ｂが省略され、商品名表示領域６１１ｃと、標準価格表示領域６１２ｃのみを有している。
【００３８】
また、表示画面６１Ｃでは、標準価格情報表示領域６１２ｃが、標準価格表示領域６１２ａ、６１２ｂより大きく、表示画面６１Ｃの横方向一杯に拡大されている。
【００３９】
なお、図４で説明した表示画面６１Ａ、６１Ｂによれば、標準価格を示す情報と見切り商品Ｇの値引き情報とを並べて表示しているので、客に対してお買い得感を演出することができる。
【００４０】
図６は、電子棚札端末６の本体ハウジング６０内に内臓されるハードウェア構成を説明するためのブロック図である。
【００４１】
図６に示すように、電子棚札端末６は、ＣＰＵなどで実現されて各部を制御する制御部６３を備えるとともに、その制御部６３とバスＢＬ１を介して接続されるＲＯＭやＲＡＭなどで実現されて各種処理を実行するための処理プログラムや、電子棚札管理サーバ３から無線中継器８を介して受信した表示データや、端末コード部６２で表される端末コード（棚札ＩＤ）などの各種ファイルを記憶する記憶部６４と、その記憶部６４に記憶された表示データに基づいて対応付けられた商品Ｇに関する商品情報を表示する表示画面を有する表示部６１と、表示データの切り替え処理や通信処理などの各種制御時におけるタイミングをとるための計時処理を行うタイマ部６５と、表示データや棚札ＩＤデータなどの各種データの送受信を行う通信部６６と、各部の動作に必要な電力を供給するバッテリ６７とを備えている。
【００４２】
なお、表示部６１には、表示部６１の画面に一度情報を表示した後、表示部６１への電力供給が遮断されても画面の表示を保持し続けることが可能な省電力に優れたメモリ性液晶を採用している。
【００４３】
即ち、この電子棚札端末６では、表示部６１における表示内容を変更しない場合には、表示部６１に対するバッテリ６７からの電力供給を遮断するような制御を行っている。
【００４４】
また、本実施形態の表示部６１では、高精細フルドット表示を採用していることにより、対応付けられた商品Ｇに関する情報としての商品名や価格などの文字情報以外にも、対応付けられた商品Ｇに付されるバーコード、ＱＲコード、ＧＳ１データバーなどの各種コードと同一のコードや、対応付けられた商品Ｇの原産地を示す地図、などの画像も表示することが可能である。
【００４５】
なお、本実施形態の表示部６１では、対応付けられた商品に関する文字や画像の商品情報以外にも、対応付けられた商品または他の商品を客にアピールする商品広告を示す文字や画像などの情報を表示することも可能である。
【００４６】
また、本実施形態の電子棚札端末６では、表示部６１にメモリ性液晶を採用し、通信部６６の通信に、省電力化に優れた無線ＰＡＮ技術を採用していることから、電力供給源となるバッテリ６７として、店舗側で交換自在のリチウムコイン電池を利用することができる。
【００４７】
図７は、ストアサーバ２および電子棚札管理サーバ３のハードウェア構成を説明するためのブロック図である。
【００４８】
図７に示すように、ストアサーバ２および電子棚札管理サーバ３は、パーソナルコンピュータなどの一般的なコンピュータを利用したハードウェア構成となっており、例えば、ＣＰＵ（Ｃｅｎｔｒａｌ  Ｐｒｏｃｅｓｓｉｎｇ  Ｕｎｉｔ）１０１と、このＣＰＵ１０１とバスラインＢＬ２を介して接続されるＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＨＤＤ（Ｈａｒｄ  Ｄｉｓｋ  Ｄｒｉｖｅ：ハードディスク装置）１０４、記憶媒体読取部１０５、通信部１０６、入力部１０７、表示部１０８、音声出力部１０９などと、電力供給部１１０などを備えている。
【００４９】
ここで、ＣＰＵ１０１は、このコンピュータ（ストアサーバ２または電子棚札管理サーバ３）全体の制御、即ち、各種演算や各構成要素部に対する各種処理を制御するものである。また、ＲＯＭ１０２またはＨＤＤ１０４は、コンピュータにおける各種処理を実行するための制御プログラムなどの各種ファイルを記憶するものである。また、ＲＡＭ１０３は、入力データや表示データなどの作業中のデータを一時的に記憶したり、コンピュータの起動時にＲＯＭ１０２またはＨＤＤ１０４から読み出された制御プログラムなどの各種ファイルを一時的に記憶するものである。
【００５０】
記憶媒体読取部１０５は、ＣＤ−ＲＷ（Ｃｏｍｐａｃｔ  Ｄｉｓｃ−Ｒｅｗｒｉｔａｂｌｅ）やＤＶＤ−ＲＷ（Ｄｉｇｉｔａｌ  Ｖｅｒｓａｔｉｌｅ  Ｄｉｓｃ−Ｒｅｗｒｉｔａｂｌｅ）などの外部記録媒体に対する読み書き処理を行う装置である。
【００５１】
通信部１０６は、通信インタフェース回路（不図示）を有し、ネットワーク５を介して接続された他の機器との間で各種データの送受信を行うものである。
【００５２】
入力部１０７は、キーボードやマウス等の各種操作機器や入力インタフェース回路（不図示）を有し、入力インタフェース回路が各種操作機器からの操作信号をＣＰＵ１０１に出力するものである。
【００５３】
音声出力部１０９は、スピーカや音響回路（不図示）を有し、スピーカから警告音などの各種音を鳴動させる処理を行うものである。
【００５４】
電力供給部１１０は、商用電源からの電圧を前記した各構成要素に供給する直流電圧に変換して出力するものである。
【００５５】
図８は、電子棚札端末６における機能的構成を説明するためのブロック図である。
【００５６】
図８に示すように、電子棚札端末６は、機能的構成として、データ送受信部６１０、表示データ記憶部６２０および表示制御部６３０を含み、表示処理を実行する表示処理部６００を有している。
【００５７】
ここで、データ送受信部６１０は、表示データなどの各種データを送受信する。
【００５８】
表示データ記憶部６２０は、データ送受信部６１０を介して受信した表示データを記憶部６４に対して更新記憶する処理を行う。
【００５９】
表示制御部６３０は、記憶部６４に記憶されている表示データを用いて、表示部６１で商品情報を表示する表示画面６１Ａ、６１Ｂ、６１Ｃ（図４および図５参照）を表示する表示制御を行う。
【００６０】
また、この表示制御部６３０は、所定時間（例えば、「２秒」など）が経過する毎に、表示部６１で表示される商品情報のうち値引き情報表示領域（所定の表示領域）６１３ａ、６１３ｂに表示される値引き情報（所定情報）を変更表示する場合、変更前の値引き情報の表示位置（表示形式）と異なる表示位置で、変更後の値引き情報を表示する表示制御を行う。
【００６１】
図９は、電子棚札管理サーバ３における機能的構成を説明するためのブロック図である。
【００６２】
図９に示すように、電子棚札管理サーバ３は、機能的構成として、データ送受信部３１０、棚札情報管理部３２０、表示データ生成部３３０、値引き値管理部３４０などを含み、電子棚札端末６の表示を制御する棚札表示制御部３００を有している。
【００６３】
ここで、データ送受信部３１０は、他の機器に対する各種データの送受信処理を行ったり、電子棚札管理サーバ３の入力部１０７から各種データを入力処理する。
【００６４】
棚札情報管理部３２０は、棚札情報管理テーブルＴ（図１０参照）を有し、データ送受信部３１０および値引き値管理部３４０から入力した情報に基づいて、棚札情報管理テーブルＴの登録情報を更新処理したり、表示データ生成部３３０に表示データの生成を指示する。
【００６５】
図１０は、棚札情報管理テーブルＴの一構成例を説明するための図である。
【００６６】
図１０に示すように、棚札情報管理テーブルＴは、各電子棚札端末６の識別情報としての端末コード（棚札ＩＤ）が登録される棚札ＩＤ項目と、当該ＩＤに対応付けられた商品Ｇ、即ち、各電子棚札端末６に対応付けられた商品Ｇの商品識別コードが登録される商品識別コード項目と、商品Ｇの商品名が登録される商品名項目と、商品Ｇの年月日情報（この例では、賞味期限）が登録される年月日項目と、商品Ｇ、１つ当たりの単価（標準価格）が登録される単価項目と、当該商品Ｇの値引き額を示す情報（この例では、何％引きなど）が登録される値引き値項目と、当該商品Ｇが商品陳列棚ＳＨなどに陳列されている商品Ｇの個数が登録される残数項目などを有している。
【００６７】
なお、この棚札情報管理テーブルＴでは、例えば、上から３行分の登録内容が、図２に示す電子棚札端末（Ａ）６の登録内容を示しており、電子棚札端末（Ａ）６の棚札ＩＤが「Ａ」であり、電子棚札端末（Ａ）６に対応付けられた商品Ｇが、商品識別コード「ａａａａ」、商品名「牛ロースしゃぶしゃぶ用」の商品であることを示している。
【００６８】
また、電子棚札端末（Ａ）６に対応付けられて商品陳列棚ＳＨに陳列されている商品Ｇとして、賞味期限が販売当日「２０１０．８．１８」であり、値引き値として「２０％引き」が設定された見切り商品Ｇが「１個」陳列されており、また、賞味期限が販売当日の１日先の「２０１０．８．１９」であり、値引き値として「１０％引き」が設定された見切り商品Ｇが「３個」陳列されており、更に、賞味期限が販売当日より２日先の「２０１０．８．２０」であり、値引きをしない標準価格で販売する通常の商品Ｇが「１０個」陳列されていることを示している。
【００６９】
なお、図１０の例では、年月日項目に登録される情報として、商品の賞味期限である場合について説明したが、これ以外にも、商品の加工日、消費期限日、有効期限日などのいずれかであっても良いものとする。また、図１０の例では、値引き値項目に登録される情報として、「１０％引き」などの値引き額を示す情報の場合について説明したが、これ以外にも、「１割引」などの割引を示す情報であっても良いものとする。
【００７０】
図９に戻って、表示データ生成部３３０は、棚札情報管理テーブルＴの登録情報に基づいて、各電子棚札端末６で表示される商品情報（商品名を示す情報、価格（標準価格）を示す情報、値引き情報、成分を示す情報など）を示す表示データを生成する。
【００７１】
値引き値管理部３４０は、データ送受信部３１０を介してストアサーバ２やＰＯＳ端末（不図示）などの上位装置から受信した当営業日の売上データや過去の販売実績データなどの商品管理データに基づいて、見切り商品Ｇの販売による当該店舗の利益が最適化となる（例えば、利益が最大となる）ように、各電子棚札端末６に対応付けられる見切り商品Ｇの時間経過に伴って段階的に変更する値引き値（例えば、「１０％引き」など）を算出して、棚札情報管理部３２０に出力する。
【００７２】
なお、前記した図８および図９における各機能構成は、制御部６３、ＣＰＵ１０１が、それぞれ記憶部６４、ＨＤＤ１０４などの記憶手段に記憶されている処理プログラムを、記憶部６４、ＨＤＤ１０４上に展開して実行することにより実現されるものである。
【００７３】
次に、電子棚札管理サーバ３および電子棚札端末６の処理動作について説明する。
【００７４】
図１１は、電子棚札管理サーバ３の処理の流れを示すフローチャートである。
【００７５】
図１１に示すように、電子棚札管理サーバ３では、ステップＳ１１およびステップＳ１２において、データ送受信部３１０を介して棚札ＩＤおよび商品ＧのＧＳ１データバーのバーコードデータの入力があるか否か、または、値引き値管理部３４０の算出結果に基づいて表示価格の変更が必要な電子棚札端末６が有るか否かを監視しており、この監視の結果、ストアサーバ２または電子棚札管理サーバ３の入力部１０７またはハンディターミナル７を介して、データ送受信部３１０が、棚札ＩＤおよび商品Ｇのバーコード情報を入力すると（ステップＳ１１：ＹＥＳ）、続いて、ステップＳ１３において、棚札情報管理部３２０が、棚札情報管理テーブルＴに受信した棚札ＩＤを登録するとともに、その棚札ＩＤに対応付けられる商品Ｇに関する商品情報（商品名を示す情報、価格（標準価格）を示す情報、値引き情報、成分を示す情報など）をストアサーバ２などから取得して登録する。
【００７６】
続いて、ステップＳ１４において、表示データ生成部３３０が、当該棚札ＩＤの電子棚札端末６に表示させる商品情報（例えば、商品名、価格（標準価格）、値引き額などを示す情報）（例えば、図５に示す表示画面６１Ｃで表示する商品情報など）を含む表示データを生成する。
【００７７】
続いて、ステップＳ１５において、表示データ生成部３３０が生成した表示データをデータ送受信部３１０に出力することにより、データ送受信部３１０が該当する電子棚札端末６に表示データを送信し、ここでの処理を終了する。
【００７８】
一方、前記ステップＳ１１およびＳ１２の監視の結果、表示価格の変更が必要な電子棚札端末６があった場合（ステップＳ１２：ＹＥＳ）、続いて、ステップＳ１６において、値引き値管理部３４０が、当該電子棚札端末６において更新表示される値引き値などの価格情報を算出し、該算出した価格情報とともに当該電子棚札端末６の棚札ＩＤを、表示データ生成部３３０に出力する。これにより、処理がステップＳ１４に移行し、表示データ生成部３３０により更新後の価格情報を有する商品情報（例えば、図４（ａ）に示す表示画面６１Ａまたは図４（ｂ）に表示する表示画面６１Ｂで表示する商品情報など）を含む表示データが生成され、それ以降、同様の処理が行われる。
【００７９】
図１２は、電子棚札端末６の処理の流れを示すフローチャートである。
【００８０】
図１２に示すように、電子棚札端末６では、ステップＳ２１において、表示処理部６００が、電子棚札管理サーバ３からの表示データの受信の待受け処理を行うとともに、表示制御部６３０が、現在、記憶部６４に記憶している表示データに基づく商品情報を含む表示画面（６１Ａ、６１Ｂ、６１Ｃなど）を表示部６１に表示する表示制御を行う。
【００８１】
ここで、表示処理部６００が、データ送受信部６１０を介して、電子棚札管理サーバ３から表示データを受信した場合（ステップＳ２２：Ｙｅｓ）、続いて、ステップＳ２３において、表示データ記憶部６２０が、受信した表示データを記憶部６４に更新記憶する。その後、表示処理部６００は、処理をステップＳ２１に移行させて以下同様の処理を行う。即ち、ステップＳ２３の記憶処理した後のステップＳ２１の処理では、表示処理部６００は、記憶部６４に新たに更新記憶した表示データに基づく表示処理を実行する。
【００８２】
図１３は、ステップＳ２１の処理における表示処理の詳細を説明するためのフローチャートである。
【００８３】
図１３に示すように、この処理では、まず、ステップＳ２１１において、表示制御部６３０は、受信して記憶部６４に記憶した表示データに値引き情報が含まれているか否かを判定する。
【００８４】
この判定の結果、値引き情報が含まれていないと判定された場合（ステップＳ２１１：Ｎｏ）、続いて、ステップＳ２１２において、表示制御部６３０は、値引き情報を含まない通常の表示画面（例えば、図５の表示画面６１Ｃ）を表示部６１に表示する表示制御を行う。
【００８５】
即ち、ステップＳ２１２の表示処理は、当該電子棚札端末６に対応付けられた商品Ｇとして、通常の商品Ｇのみが商品陳列棚ＳＨに陳列されている場合の表示処理である。より具体的には、例えば、販売当日「１８日」の営業時間が「ＰＭ７：００」であり、賞味期限が販売当日「１８日」より１日先の「１９日」である見切り商品Ｇや、賞味期限が販売当日「１８日」である見切り商品Ｇなどが全て売り切れて、賞味期限が販売当日「１８日」より２日先の「２０日」である標準価格で販売する通常の商品Ｇのみが陳列されている場合に、表示制御部６３０は、図５に示す表示画面６１Ｃを表示部６１に表示する。
【００８６】
一方、ステップＳ２１１の判定の結果、値引き情報が含まれていると判定された場合（ステップＳ２１１：Ｙｅｓ）、続いて、ステップＳ２１３において、表示制御部６３０は、値引き情報が複数有るか否かを判定する。
【００８７】
この判定の結果、値引き情報が複数ない、即ち、１つのみであると判定された場合（ステップＳ２１３：Ｎｏ）、続いて、ステップＳ２１４において、表示制御部６３０は、標準価格を示す情報と値引き情報とを区分けして表示し、且つ、それら両情報がそれぞれ対応する表示領域（標準価格情報表示領域や値引き情報表示領域）内の固定位置で表示される表示画面（例えば、図４（ａ）の表示画面６１Ａのようなもの）を表示部６１に表示する表示制御を行う。
【００８８】
一方、ステップＳ２１３の判定の結果、値引き情報が複数あると判定された場合（ステップＳ２１３：Ｙｅｓ）、続いて、ステップＳ２１５において、表示制御部６３０は、標準価格を示す情報が固定表示され、値引き情報のみが時分割で変更表示される表示画面を表示部６１に表示する表示制御を行う。
【００８９】
即ち、このステップＳ２１５の処理では、表示制御部６３０は、所定時間経過する毎に、値引き情報のみが、変更前と変更後で表示位置が異なるように表示する表示画面を表示部６１に表示する表示制御を行う。
【００９０】
即ち、ステップＳ２１５の表示処理は、当該電子棚札端末６に対応付けられた商品Ｇとして、通常の商品Ｇと、賞味期限の異なる複数の見切り商品Ｇとが商品陳列棚ＳＨに陳列されている場合の表示処理である。より具体的には、例えば、複数の値引き情報として、「賞味期限１８日の品  ２０％引き」と、「賞味期限１９日の品  １０％引き」といった２つの値引き情報があった場合で、販売当日「１８日」の営業時間が「ＡＭ１０：００」であり、賞味期限が販売当日「１８日」より２日先の「２０日」である標準価格で販売する通常の商品Ｇと、賞味期限が販売当日「１８日」より１日先の「１９日」である見切り商品Ｇと、賞味期限が販売当日「１８日」である見切り商品Ｇとが混在して陳列されている場合に、表示制御部６３０は、５秒などの所定時間が経過する毎に、図４（ａ）に示す表示画面６１Ａと図４（ｂ）に示す表示画面６１Ｂを交互に切り替えて表示部６１に表示する。
【００９１】
なお、ステップＳ２１２、ステップＳ２１４およびステップＳ２１５の処理後には、表示処理部６００は、処理をステップＳ２２に移行させて以下同様の処理を行う。
【００９２】
即ち、以上説明した実施形態によれば、電子棚札端末６における表示内容の変更を分かり易くすることができる。
【００９３】
より具体的には、前記した実施形態によれば、電子棚札端末６の表示部６１で表示される商品情報のうち、客にとって重要な情報である値引き情報（特に、値引き額を示す数字）のみを、所定時間経過する毎に変更表示する場合に、変更前の値引き情報の表示位置と異なる表示位置で、変更後の値引き情報を表示するように構成したため、値引き情報の変更が分かり易くなり、客に値引き情報の変更が行われていることを容易に気付かせることが可能となる。
【００９４】
更に、より具体的には、前記した実施形態によれば、値引き情報として、「１０％引き」が「２０％引き」に変更されるような場合、即ち、「１」という数字が「２」に変わるだけの場合、即ち、数字のみの変更のように変更が分かり難い変更表示をする場合でも、客に値引き情報の変更が行われていることを容易に気付かせることが可能となる。
【００９５】
以上、例示的な実施形態に基づいて説明したが、本実施形態は、前記した実施形態により限定されるものではない。
【００９６】
例えば、前記した実施形態では、値引き情報表示領域６１３ａ、６１３ｂ内において、値引き情報の表示位置を横方向にずらす場合について説明したが、これ以外にも、例えば、値引き情報表示領域６１３ａ、６１３ｂ内において、値引き情報の表示位置を縦方向にずらすような形態とすることも可能である。
【００９７】
また、前記した実施形態では、表示制御部６３０の表示制御における「表示形式」として、「表示位置」である場合について説明したが、これ以外にも、例えば、「表示フォントの種類」や「表示色」などの他の表示形式とすることも可能である。
【００９８】
また、前記した実施形態では、値引き情報に含まれる値引き額情報として、「１０％引き」や「５０円引き」などの値引率を示す情報について説明したが、これ以外にも、例えば、値引き額情報として、標準価格より値引き額を差し引いた値引き後価格を示す情報を採用することも可能である。
【００９９】
また、前記した実施形態では、表示形式を変更する所定情報として、年月日情報（「賞味期限１８日の品」など）と値引き額情報（「１０％引き」など）などを含む値引き情報の場合について説明したが、これに限定されず、その他の情報を設定することも可能である。
【０１００】
また、前記した実施形態の電子棚札管理サーバ３や電子棚札端末６で実行される各種プログラムは、ＲＯＭなどの記憶手段に予め組み込むように提供してもよいし、コンピュータで読み取り可能な記録媒体に記録して提供するように構成してもよいし、インターネットなどのネットワーク経由で提供または配布するように構成しても良い。
【０１０１】
また、前記した実施形態では、情報表示装置として電子棚札端末６の場合について説明したが、これに限定されず、その他の情報表示装置とすることも可能である。
【０１０２】
その他、前記した実施形態におけるシステム構成や、各装置のハードウェア構成およびソフトウェア構成や、表示画面で表示される情報のレイアウトや、各装置の処理手順などは、単なる例として記載したものであり、本実施形態は、これらにより限定されない。
【符号の説明】
【０１０３】
１  電子棚札システム
２  ストアサーバ
３  電子棚札管理サーバ
４  無線ＬＡＮアクセスポイント
５  ネットワーク
６  電子棚札端末（情報表示装置）
７  ハンディターミナル
８  無線中継器
６１  表示部（表示手段）
６２  端末コード部
６３  制御部
６４  記憶部
６５  タイマ部
６６  通信部
６７  バッテリ
６００  表示処理部
６１０  データ送受信部
６２０  表示データ記憶部
６３０  表示制御部（表示制御手段）
６１Ａ、６１Ｂ、６１Ｃ  表示画面
６１１ａ、６１１ｂ、６１１ｃ  商品名表示領域
６１２ａ、６１２ｂ、６１２ｃ  標準価格表示領域
６１３ａ、６１３ｂ  値引き情報表示領域（所定の表示領域）
６１４ａ、６１４ｂ  区分け線
ＳＨ  商品陳列棚（商品陳列箇所）
Ｇ  商品（通常の商品、見切り商品）
【先行技術文献】
【特許文献】
【０１０４】
【特許文献１】特開２００９−２５１８１１号公報
【図１】
2012053811.tif 000003
【図２】
2012053811.tif 000004
【図３】
2012053811.tif 000005
【図４】
2012053811.tif 000006
【図５】
2012053811.tif 000007
【図６】
2012053811.tif 000008
【図７】
2012053811.tif 000009
【図８】
2012053811.tif 000010
【図９】
2012053811.tif 000011
【図１０】
2012053811.tif 000012
【図１１】
2012053811.tif 000013
【図１２】
2012053811.tif 000014
【図１３】
2012053811.tif 000015